(57)【要約】　　　（修正有）【課題】一般に農業用の温室に利用されている透明なビニールは安いが耐久性がない。それに比較して、ビニールの波板は、厚みもあり、波形しているので強度もあり、このビニールの波板を使用し経済性、施工性に優れた温室、物置や及び車庫のカーポート、テラスの屋根等を提供する。【解決手段】弓状の鋼材の断面をＭ型にし、Ｍ型の柱の側面にＵ型の横架材が貫通するようにＵ型の穴を開け、弓状のＭ型柱を縦にＵ型の架橋材を横にして縦横に組み立て、下地を枡状にし、この上に波板をビスで留め、Ｍ型柱に波板の溝を密着させ骨組と波板を一体化させる。【選択図】図１
2004108127.tif 000002
【特許請求の範囲】
【請求項１】
骨組みとなる柱の断面をＭ型又はＵ型にし、屋根材や壁材として使用する波板の窪みが柱の上面に重なり密着するように柱の断面をＭ型又は、Ｕ型に折り曲げたＭ型柱１。
【請求項２】
請求項１記載の柱の断面を複数波形にした型柱。
【請求項３】
断面がＭ型の柱を弓状にし、この柱をＵ型の横架材３で連結して波板の下地とし、Ｍ型柱１の両側面二か所にＵ型の穴を複数開け、このＵ型穴７に波板４の下地となるＵ型横架材３を貫通させたＭ型柱１とＵ型横架材３。
【請求項４】
波板４を留めるＵ型横架材３の頂点に小さな溝２を付け、波板を留めるビスが横に滑らないようにした横架材３。
【請求項５】
かまぼこ型のハウスで、垂直壁部分に使用する直線状のＭ型柱１’の上部を固定するため、弓状の柱の角度に応じてビスで留めることのできる柱固定プレート５。
【請求項６】
波板４の下端を固定するために、波板４の波の厚みが差し込めるＪ型の溝材をＭ型柱１の下部に留めることができるＪ型の波板裾留め８。
【請求項７】
弓状のＭ型柱１の頂点を連結して、アーチ型にするため、断面がＭ型のソケットで接続できる柱連結継ぎ手１０。
【発明の詳細な説明】
【０００１】
【産業上の利用分野】
独立して建てる農業用のビニールハウスやかまぼこ型倉庫や住宅の外壁を利用して、テラスや物置を建てるのに、安価なプラスチックや金属の波板を使い少ない部品で簡単に安く造れる。さらに、柱の断面をＵ型、Ｍ型、複数波型にすることにより、必要な柱の強度に対応でき、小規模な家庭菜園の温室や住宅のテラスの屋根、大きくは農業用の温室に使用できる。
【０００２】
【従来の技術】
農業用簡易温室ハウスは、弓状に曲がったパイプを縦に等間隔に建て、そこに、直線のパイプを水平に等間隔に取付けて骨組みとし、柱と桟で桝格子状にした上に透明なビニールを張り付け温室として使用しているが、このビニールは、薄いため耐久性に問題がある。
【０００３】
【発明が解決しようとする課題】
農業用のビニールハウスは、透明な薄いビニールのため、長持ちせず耐久性に問題がある。そこで、波板４が柱の接触面に密着するように、断面をＭ型柱１にし、比較的安価な塩ビの波板を屋根や壁にして張りたい。さらに、Ｍ型柱１とＵ型横架材３を使い簡単に組み立て、屋根、壁材の下地を造りたい。
【０００４】
【課題を解決するための手段】
屋根や壁となる波板４を柱に密着して留めるために、弓状の柱の断面をＭ型にして、柱の波板４との接触面を波型、すなわち、Ｍ型にする。波板４と接触するＭ型柱１の溝に塩ビの波板４が密着するようにし、そのＭ型柱１の両側面二か所にＵ型穴７を開け、さらに、Ｕ型をしたＵ型横架材３が等間隔で複数本貫通するようにＵ型穴７を複数開ける。柱は土台を使わず、柱の先端を地面に差し込むのであるが、地面に刺さるＭ型柱１の下部には、波板４を留めるＪ型をした波板裾留め８を取付けて、その溝に波板４を差し込むことにより、波板４の端を留まるようにする。
Ｕ型の横架材３を連結するには、Ｍ型柱１の溝の内側で横架材３の両端を折り曲げできるように、つば１４を付け、Ｍ型柱１の側面のＵ型穴７に、つば１４を差し込みＭ型柱１の溝の内側でつば１４を曲げて固定する。さらに、横架材３は、波板４を留める際、傘付きのタッピングビスが滑らないように、Ｕ型横架材３の頂点にビス溝２を付ける。
弓型のＭ型柱１以外の入り口と奥の壁となる垂直壁部分は、波形を付けた柱固定プレート５を直線のＭ型柱１’の上部にビスで取付け、直線のＭ型柱１’をハウス両側のカーブした弓形のＭ型柱１の上面に重ねてビスで取付けでいるようにする。弓状のＭ型柱１は、カーブしているので、取付ける位置で柱固定プレート５の取付け角度が変わるので、柱固定プレート５も角度調整できるように、柱固定プレート５の取付けビス穴部分の板を狭く半円形にする。
なお、型材のＭ型、Ｕ型、複数波型等は、建物の必要強度に合わせて選び、波板４のＭ型柱１との接触面は、張り付ける波板４に合わせて溝を付けた型材にし波板材は、塩ビ、鋼板、スレート等波板ならどれでも張ることができる。
【０００５】
【実施例】
かまぼこ型のハウスや住宅等の壁に取付ける半かまぼこ型の物置を造る場合、二本の弓状のＭ型柱１を柱連結継ぎ手１０で接続しアーチ型にして、必要なハウスの面積に応じて複数のＭ型柱１を地面に等間隔で刺して建てる。
次に、Ｍ型柱の両側には、横架材３が貫通するように、二個のＵ型穴７が開いており、Ｍ型柱１の側面に開いている複数のＵ型穴７に、複数のＵ型の横架材３を通しＭ型柱１を連結して組み立てる。Ｕ型横架材３を接続する場合は、Ｕ型横架材３の端のつば１４をＭ型柱１の一方のＵ型穴７に通し、Ｍ型柱１の内側で曲げて取付ける。さらに、Ｍ型柱１の他のＵ型穴７に、次のＵ型横架材３のつば１４を折り曲げて取付け連結する。
カーブしたかまぼこ型の壁面以外の二ヶ所の垂直な壁は、柱固定プレート５を直線のＭ型柱１’の湾曲した内側にして、上部に開けてあるビス穴６にビスでＭ型柱１’と柱固定プレート５を留め、ハウスの両端とも弓状にカーブしているＭ型柱１の波形に柱固定プレート５の波形を重ねて止め、波板下地となる複数のＵ型横架材３をＭ型柱１の側面に開いている複数のＵ型穴７に通す。　Ｍ型柱１の地表に近い下部には、Ｊ型をした波板裾留め８をビス９で留める。
Ｍ型柱１とＵ型横架材３で縦横に骨組みができたら市販の波板４を傘付きのタッピングビスでＵ型横架材３に留める。
入り口は、Ｍ型柱１’の間にドア枠を取付けてドア１１を取付ける。
Ｍ型柱１の代わりにＵ型柱や複数波の柱を使う場合も同じ組み立て方法である。
建物の外壁を利用して、Ｍ型柱１で物置を造る場合、柱留め定金具１３を建物の上部外壁１５に取付け、弓状のＭ型柱１をそこに差し込んで上部を固定する。後は前述の通りに組み立てる。
【０００６】
【発明の効果】
断面がＭ型で弓状のＭ型柱１を縦として、このＭ型柱１を連結するために、横にＵ型横架材３をＵ型穴７に差し込むことにより、留め金具を使用せず、縦横一体となった骨組みができ、波板４の波と柱の接触面とが密着のでハウスが安定し、部材の数が少なく、安価な波板を使用するので、安く、組み立て手間がかからず簡単に組み立てができる。
【図面の簡単な説明】
【図１】この発明の弓状Ｍ型柱とＵ型横架材及び波板裾留めを組み立てた斜面図である。
【図２】この発明の外壁に柱留め金具でＭ型柱を取付け、下部に波板裾留めを取付けた立面図と側面図である。
【図３】この発明のＭ型柱Ａ−Ａ’の断面図である。
【図４】この発明のＵ型横架材の正面図と側面図である。
【図５】この発明のＭ型柱上部の接続継ぎ手となる柱連結継ぎ手の側面図とＢ−Ｂ’の断面図である。
【図６】この発明の柱連結継ぎ手と弓状Ｍ型柱に横架財を通して組み立てた一部斜面図である。
【図７】この発明の直線のＭ型柱上部と柱固定プレートの一部斜面図である。
【図８】この発明のＭ型柱と波板裾止めの一部側面図と正面図である。
【図９】この発明の柱と波板留め金具に柱留め金具を取付けた側面図と正面図である。
【図１０】この発明の柱留め金具の側面図と正面図である。
【符号の説明】
１　１’　　　　Ｍ型柱
２　　　　　　　ビス溝
３　　　　　　　Ｕ型横架材
４　　　　　　　波板
５　　　　　　　柱固定プレート
６　　　　　　　ビス穴
７　　　　　　　Ｕ型穴
８　　　　　　　波板裾留め
９　　　　　　　ビス穴
１０　　　　　　　柱連結継ぎ手
１１　　　　　　　ドア
１２　　　　　　　柱留め金具
１３　　　　　　　柱と波板留め金具
１４　　　　　　　つば
１５　　　　　　　外壁
【図１】
2004108127.tif 000003
【図２】
2004108127.tif 000004
【図３】
2004108127.tif 000005
【図４】
2004108127.tif 000006
【図５】
2004108127.tif 000007
【図６】
2004108127.tif 000008
【図７】
2004108127.tif 000009
【図８】
2004108127.tif 000010
【図９】
2004108127.tif 000011
【図１０】
2004108127.tif 000012